(57)【要約】      （修正有）【課題】移動が不自由な被介護人を次工程側に短時間で簡単に、かつ安全に移動するために使用される介護用椅子型補助具を提供する。【解決手段】介護用椅子型補助具１００はベース枠体１と尻背部保持体２とから構成される。ベース枠体１は四角状のものからなり左右の垂直柱３，４とその間の上下に横架されるレール状の上水平横体と下水平横体とからなる。尻背部保持体２は、摺動部材７と張り出し枠体と張り出し枠体の下端側に基端部を保持されて中央方向に向かって水平に張り出す尻部保持体９とからなる。この尻部保持体９は人体の尻部を保持する平板状のものからなり、材質や形状は適宜のものでよい。尻部保持体９は左右対称のものからなり、その左右の間隔は、摺動部材７のベース枠体１に沿う摺動により調整される。【選択図】図１
0003196737.tif 000002
【実用新案登録請求の範囲】
【請求項１】
動きの不自由な被介護人を座位状態にして前記被介護人が希望する次工程側に移動させるに必要な椅子型補助具であって、該椅子型補助具は、左右の垂直柱とその間の上下に横架される上水平横体及び下水平横体とからなる四角状のベース枠体と、該ベース枠体の前記上水平横体及び下水平横体に沿って摺動自在に片持ち支持され人体の尻部や背部の下方側（以下、尻背部と言う）を保持する左右一対の尻背部保持体とからなり、前記尻背部保持体は、前記上水平横体及び下水平横体に摺動自在に係着する摺動部材と該摺動部材に基端側を固定されて前方に向かって張り出す張り出し枠体と該張り出し枠体の下端側にその基端部を保持されて中央方向に向かって水平に張り出し前記尻背部の主として尻部に当接して該尻部を保持する尻部保持体とからなり、左右の前記尻部保持体は前記尻部に当接して保持する位置から前記尻部から開放される位置まで移動可能に配置される事を特徴とする介護用椅子型補助具。
【考案の詳細な説明】
【技術分野】
【０００１】  本考案は、自身で希望する次工程側への移動が不自由な被介護人を座位状態に保持して移動具に装着する取り扱いが容易で簡便構造からなる介護用椅子型補助具に関する。
【背景技術】
【０００２】  臥位や座位状態にあって自分の希望する次工程側（例えば、用便の便器，シャワーの場所，座椅子，車椅子，ベット等）に自由に移動出来ない被介護人にとっては介護人の力を借りて移動する事が必要であるが、そのための移動具に被介護人を簡単に座接させるには何等かの補助具が必要となる。このため各種の補助具があるが本願に比較的近いものとしては「特許文献１」が挙げられる。
【先行技術文献】
【特許文献】
【０００３】
【特許文献１】実用新案公開平５−９６６５０号（図１）
【考案の概要】
【考案が解決しようとする課題】
【０００４】  「特許文献１」の「実用新案公開平５−９６６５０号」の「身体持ち上げ具」は支持柱（５）に身体支持腕（７）を回動及び上下動自在に支持し、この身体支持腕（７）を被介護人の尻部等に押し入れて持ち上げ移動する構造のものからなる。【０００５】  この「特許文献１」の「身体持ち上げ具」そのものは有益のものと思われるが、被介護人を持ち上げる動作については不明であり、容易に持ち上げ体制に被介護人を位置付けることについては記載されていない。
臥位や座位状態にある被介護人はこちらの要望する姿勢に自身で位置移動することが一般に困難であり、すばらしい持ち上げ具が仮りにあっても被弁護人の負担にならない道具である必要がある。【０００６】  特許文献として開示されているものではないが、図７に示すように一枚の板状のプレートを被介護人の尻部に挿入して被介護人を持ち上げるものがあるが、介護人にとってはその動作が大変であり、被介護人もこの動作による身体的の負担も大きく適切の補助具とは言えない。【０００７】  また、現在開示されていないが、同一出願人による実願２０１４−６１９９号の介護用椅子型補助具がある。このものは人体の尻部に当接するアンダーベース（符号６で示されている）が縦棒（符号１０ａで示されている）を基点として回動する構造のものからなり、補助具として有効のものであるがアンダーベースが外側に開いた場合に次工程側の構造体が狭い場合にはその壁に当接して十分に開けないで被介護人が前記構造体内の目的物に着座が出来ない問題点があった。【０００８】  本考案は以上の問題点等を解決すべく考案されたものであり、狭い構造体に対して適用され、被介護人に負担をかけることなく安全に座位状態に保持し次工程側において被介護人が目的を果すことのできる介護用椅子型補助具を提供することを目的とする。
【課題を解決するための手段】
【０００９】  本考案は、以上の目的を達成するために、請求項１の考案は、動きの不自由な被介護人を座位状態にして前記被介護人が希望する次工程側に移動させるに必要な椅子型補助具であって、該椅子型補助具は、左右の垂直柱とその間の上下に横架される上水平横体及び下水平横体とからなる四角状のベース枠体と、該ベース枠体の前記上水平横体及び下水平横体に沿って摺動自在に片持ち支持され人体の尻部や背部の下方側（以下、尻背部と言う）を保持する左右一対の尻背部保持体とからなり、前記尻背部保持体は、前記上水平横体及び下水平横体に摺動自在に係着する摺動部材と該摺動部材に基端側を固定されて前方に向かって張り出す張り出し枠体と該張り出し枠体の下端側にその基端部を保持されて中央方向に向かって水平に張り出し前記尻背部の主として尻部に当接して該尻部を保持する尻部保持体とからなり、左右の前記尻部保持体は前記尻部に当接して保持する位置から前記尻部から開放される位置まで移動可能に配置される事を特徴とする。
【考案の効果】
【００１０】  本考案の請求項１の介護用椅子型補助具によれば、臥位状態にある被介護人を座位状態に起こし、その尻部に尻部保持体を挿入する。この場合、被介護人は左又は右の尻部を少し上方に動かすことは容易に出来るため尻部に尻部保持体を挿入することは容易に出来る。左右の尻部を尻部保持体の上面に乗せることにより介護用椅子型補助具により被介護人を保持することが出来る。この状態で介護用椅子型補助具を移動具に装着することにより被介護人を移動状態に保持することができ、この移動具は次工程側に移動させることが容易に出来る。次工程側において尻背部保持体を左右の外側方向に水平移動させることにより被介護人の尻部を次工程側の構造体の目的物上に乗せることが容易に出来る。一方、元の状態に戻すには以上と逆の工程を行なうことにより被介護人を元の位置に容易に戻すことが出来る。
尻部保持体は左右に水平方向に沿って移動するものからなるため次工程の構造体が狭いものであってもその壁等にぶつかることはない。
【図面の簡単な説明】
【００１１】
【図１】本考案の介護用椅子型補助具の全体構造を示す平面図。
【図２】本考案の介護用椅子型補助具の拡大側面図。
【図３】本考案の介護用椅子型補助具の全体構造を示す写真。
【図４】本考案の介護用椅子型補助具の全体構造を示す写真。
【図５】本考案の介護用椅子型補助具が移動具と別体の場合の装着状態及び使用状態を示す側面図。
【図６】本考案の介護用椅子型補助具が移動具と一体的構造の場合の装着状態と使用状態を示す側面図。
【図７】補助具の一例を示す写真。
【考案を実施するための形態】
【００１２】  図１及び図３，図４は本考案の介護用椅子型補助具の全体構造を示すものであり、また、図２は図１の側面図である。
図１等に示すように、本考案の介護用椅子型補助具１００はベース枠体１と尻背部保持体２とから構成される。
【００１３】  ベース枠体１は四角状のものからなり左右の垂直柱３，４とその間の上下に横架されるレール状の上水平横体５と下水平横体６とからなる。
【００１４】  尻背部保持体２は、摺動部材７と張り出し枠体８と張り出し枠体８の下端側に基端部を保持されて中央方向に向かって水平に張り出す尻部保持体９とからなる。この尻部保持体９は人体の尻部を保持する平板状のものからなり、材質や形状は適宜のものでよいが図３及び図４では木質のもので尻部が直接当る部分が楕円状の部材からなるものが示されている。
【００１５】  尻部保持体９は左右対称のものからなり、その左右の間隔は摺動部材７のベース枠体１に沿う摺動により調整され、最も中央側に左右の尻部保持体９，９が近接した場合には人体の尻部を安定支持する位置となり外側に向かって離れた場合には尻部との当接が解除されるように形成されている。
【００１６】  この介護用椅子型補助具１００を使用して人体を保持する使用方法としては座位状態にある被介護人１１の尻部に介護用椅子型補助具１００の尻部保持体９を近接させ被介護人１１に左又は右の尻部を少し上げてもらって尻部保持体９を尻部と当接する位置に挿入することにより被介護人１１を介護用椅子型補助具１００上に保持することが出来る。
【００１７】  図５は移動具１０と別体の介護用椅子型補助具１００による使用状態を示すものであり、図６は移動具１０と介護用椅子型補助具１００とが一体的構造の場合の使用状態を示すものである。
この図５及び図６の状態にある移動具１０を目的の次工程側に移動し、その状態で介護用椅子型補助具１００の尻背部保持体２の尻部保持体９を外側に向かって移動し次工程の構造体上に尻背部を保持させることが出来る。なお、この構造体としては各種のものがあるが例えば、便器，シャワー，座椅子，車椅子，ベット等が挙げられる。
【００１８】  本考案の介護用椅子型補助具１００は以上の内容のものからなり、取り扱いは簡便であり、被介護人側に負担をかけず、安全性においても優れるものである。また、本考案の介護用椅子型補助具は以上の説明の内容に限定するものではなく、同一技術的範疇のものが適用されることは勿論である。
【産業上の利用可能性】
【００１９】  本考案の介護用椅子型補助具は次工程側への移動が不自由な全ての被介護人に適用され、安価で取り扱い性もよく、広範囲の場所に適用されその利用範囲は広い。
【符号の説明】
【００２０】１      ベース枠体
２      尻背部保持体
３      垂直柱
４      垂直柱
５      上水平横体
６      下水平横体
７      摺動部材
８      張り出し枠体
９      尻部保持体
１０    移動具
１１    被介護人
１００  介護用椅子型補助具
【図１】
0003196737.tif 000003
【図２】
0003196737.tif 000004
【図３】
0003196737.tif 000005
【図４】
0003196737.tif 000006
【図５】
0003196737.tif 000007
【図６】
0003196737.tif 000008
【図７】
0003196737.tif 000009